(57)【要約】【課題】ユーザの鼻にフィットしてユーザは痛みを感じることなく快適に眼鏡を使用し続けることができ、眼鏡のずり落ちを防止するとともに鼻の表皮を清潔に保って腫れの発生を抑制する眼鏡の鼻あて追加用パッドを提供すること。【解決手段】眼鏡Ｇの鼻あてＮＰの鼻あて面に追加して取り付けられる追加用パッド１００であって、発泡ウレタン樹脂で形成されたパッド本体部１１０と、パッド本体部１１０における鼻あて接触面に粘着剤で形成された粘着層１２０とを備えている眼鏡の鼻あて追加用パッド１００。【選択図】図１
2018151426.tif 000002
【特許請求の範囲】
【請求項１】
眼鏡の鼻あての鼻あて面に追加して取り付けられる鼻あて追加用パッドであって、
発泡ウレタン樹脂で形成されたパッド本体部と、
前記パッド本体部における鼻あて接触面に粘着剤で形成された粘着層とを備えており、
前記パッド本体部は、厚さが４ｍｍ〜８ｍｍである、
眼鏡の鼻あて追加用パッド。
【請求項２】
前記パッド本体部の色が、前記鼻あての色と同じである、請求項１に記載の眼鏡の鼻あて追加用パッド。
【請求項３】
前記パッド本体部の鼻接触面側から視た外縁形状が、前記鼻あての外縁形状と相似形の関係であり、
前記パッド本体部の外縁形状が、前記鼻あての外縁形状より小さい、請求項１または請求項２に記載の眼鏡の鼻あて追加用パッド。
【請求項４】
前記パッド本体部の鼻接触面側から視た外縁形状が、前記鼻あての外縁形状と相似形の関係であり、
前記パッド本体部の外縁形状が、前記鼻あての外縁形状より大きい、請求項１または請求項２に記載の眼鏡の鼻あて追加用パッド。
【請求項５】
前記パッド本体部の鼻接触面側に凹凸が形成されている、請求項１乃至請求項４のいずれか１つに記載の眼鏡の鼻あて追加用パッド。
【請求項６】
前記パッド本体部が、前記鼻接触面側においてパッド本体部の鼻接触面側から視た外縁形状の長手方向に延設された溝を有している、請求項１乃至請求項５のいずれか１つに記載の眼鏡の鼻あて追加用パッド。
【請求項７】
前記パッド本体部が、前記鼻接触面側においてパッド本体部の鼻接触面側から視た外縁形状の短手方向に延設された溝を有している、請求項１乃至請求項６のいずれか１つに記載の眼鏡の鼻あて追加用パッド。
【請求項８】
前記パッド本体部が、オープンセルフォームであり、
前記パッド本体部の粘着層側のセルの平均大きさが、前記パッド本体部の鼻接触面側のセルの平均大きさより小さいことを特徴する請求項１乃至請求項７のいずれか１つに記載の眼鏡の鼻あて追加用パッド。
【発明の詳細な説明】
【技術分野】
【０００１】
本発明は、眼鏡の鼻あての鼻あて面に追加して取り付けられる鼻あて追加用パッドに関する。
【背景技術】
【０００２】
従来、眼鏡は、レンズフレームに鼻あてとしての鼻パッドを支持する鼻パッド支持構造を有し、この鼻パッド支持構造が、弾性変形する弾性段を含み、鼻パッドに弾性緩衝の効果をもたせるものが知られている（例えば、特許文献１）。
【先行技術文献】
【特許文献】
【０００３】
【特許文献１】実登３１８３８０７号公報（特に、図２参照）
【発明の概要】
【発明が解決しようとする課題】
【０００４】
しかしながら、上述した従来の眼鏡は、レンズフレームと鼻パッドとの間に設けられた弾性段が弾性変形する構造であったため、鼻パッドがユーザの鼻の表皮に対して偏ったあたりをしてフィット感が十分ではなかった。
さらに、ユーザが鼻の表皮に汗をかいた場合、鼻パッドが鼻の表皮上を滑りやすくなり、眼鏡の位置が下がる、所謂、眼鏡のずり落ちが生じやすいという問題や、鼻パッドが鼻の表皮の汗をかいた箇所を傷つけて表皮が腫れてしてしまうという問題があった。
【０００５】
そこで、本発明は、前述したような従来技術の問題を解決するものであって、すなわち、本発明の目的は、ユーザの鼻にフィットしてユーザは痛みを感じることなく快適に眼鏡を使用し続けることができ、眼鏡のずり落ちを防止するとともに鼻の表皮を清潔に保って腫れの発生を抑制する眼鏡の鼻あて追加用パッドを提供することである。
【課題を解決するための手段】
【０００６】
本請求項１に係る発明は、眼鏡の鼻あての鼻あて面に追加して取り付けられる鼻あて追加用パッドであって、発泡ウレタン樹脂で形成されたパッド本体部と、前記パッド本体部における鼻あて接触面に粘着剤で形成された粘着層とを備えていることにより、前述した課題を解決するものである。
【０００７】
本請求項２に係る発明は、請求項１に記載された眼鏡の鼻あて追加用パッドの構成に加えて、前記パッド本体部の色が、前記鼻あての色と同じであることにより、前述した課題をさらに解決するものである。
【０００８】
本請求項３に係る発明は、請求項１または請求項２に記載された眼鏡の鼻あて追加用パッドの構成に加えて、前記パッド本体部の鼻接触面側から視た外縁形状が、前記鼻あての外縁形状と相似形の関係であり、前記パッド本体部の外縁形状が、前記鼻あての外縁形状より小さいことにより、前述した課題をさらに解決するものである。
【０００９】
本請求項４に係る発明は、請求項１または請求項２に記載された眼鏡の鼻あて追加用パッドの構成に加えて、前記パッド本体部の鼻接触面側から視た外縁形状が、前記鼻あての外縁形状と相似形の関係であり、前記パッド本体部の外縁形状が、前記鼻あての外縁形状より大きいことにより、前述した課題をさらに解決するものである。
【００１０】
本請求項５に係る発明は、請求項１乃至請求項４のいずれか１つに記載された眼鏡の鼻あて追加用パッドの構成に加えて、前記パッド本体部の鼻接触面側に凹凸が形成されていることにより、前述した課題をさらに解決するものである。
【００１１】
本請求項６に係る発明は、請求項１乃至請求項５のいずれか１つに記載された眼鏡の鼻あて追加用パッドの構成に加えて、前記パッド本体部が、前記鼻接触面側においてパッド本体部の鼻接触面側から視た外縁形状の長手方向に延設された溝を有していることにより、前述した課題をさらに解決するものである。
【００１２】
本請求項７に係る発明は、請求項１乃至請求項６のいずれか１つに記載された眼鏡の鼻あて追加用パッドの構成に加えて、前記パッド本体部が、前記鼻接触面側においてパッド本体部の鼻接触面側から視た外縁形状の短手方向に延設された溝を有していることにより、前述した課題をさらに解決するものである。
【００１３】
本請求項８に係る発明は、請求項１乃至請求項７のいずれか１つに記載された眼鏡の鼻あて追加用パッドの構成に加えて、前記パッド本体部が、オープンセルフォームであり、前記パッド本体部の粘着層側のセルの平均大きさが、前記パッド本体部の鼻接触面側のセルの平均大きさより小さいことにより、前述した課題をさらに解決するものである。
ここで、オープンセルフォームとは、隣り合うセル同士が接していることによりセル内の空間が連続している構造をいう。
また、セルの平均大きさとは、単位体積当たりのセルの大きさの平均をいう。
【発明の効果】
【００１４】
本請求項１に係る発明の眼鏡の鼻あて追加用パッドによれば、粘着層が既存の鼻あてと接着するため、容易に取り付けることができる。
さらに、ユーザの鼻と直接するパッド本体部が眼鏡の自重で適度に変形しながら鼻の表皮と接触するため、ユーザの鼻にフィットしてユーザは痛みを感じることなく快適に眼鏡を使用し続けることができる。
すなわち、鼻あて追加用パッドで眼鏡の自重をソフトに鼻で支えて、眼鏡のつるである所謂、テンプルの先端で耳にかかる先セルである所謂、モダンからユーザの耳にかかる負担を低減し、快適に眼鏡を使用し続けることができる。
また、ユーザが鼻の表皮に汗をかいた場合であってもパッド本体部が汗を吸って鼻の表皮の汗膜の形成が回避されるため、眼鏡の位置が下がる、所謂、眼鏡のずり落ちを防止するとともに鼻の表皮を清潔に保って腫れの発生を抑制することができる。
【００１５】
本請求項２に係る発明の眼鏡の鼻あて追加用パッドによれば、請求項１に係る発明が奏する効果に加えて、パッド本体部が鼻あてと同化して見えて目立たなくなるため、ユーザは見栄えを気にせずに快適に眼鏡を使用し続けることができる。
【００１６】
本請求項３に係る発明の眼鏡の鼻あて追加用パッドによれば、請求項１または請求項２に係る発明が奏する効果に加えて、ユーザが眼鏡を装着した状態では、鼻あて追加用パッドが他の人から視認されないため、見栄えに影響を与えずにユーザは快適に眼鏡を使用し続けることができる。
【００１７】
本請求項４に係る発明の眼鏡の鼻あて追加用パッドによれば、請求項１または請求項２に係る発明が奏する効果に加えて、鼻あての外縁とユーザの鼻の表皮との接触が確実に回避されるため、鼻あてがユーザの鼻の表皮を傷つける虞がない。
【００１８】
本請求項５に係る発明の眼鏡の鼻あて追加用パッドによれば、請求項１乃至請求項４のいずれか１つに係る発明が奏する効果に加えて、眼鏡の自重を受けて凸が鼻の表皮と接触して積極的に変形するため、ユーザの鼻によりフィットすることができる。
さらに、ユーザが動くことによる眼鏡の振動がより効果的に吸収されるため、ユーザの視野の微細な振動を効果的に低減して目の疲れを低減することができる。
【００１９】
本請求項６に係る発明の眼鏡の鼻あて追加用パッドによれば、請求項１乃至請求項５のいずれか１つに係る発明が奏する効果に加えて、ユーザの横振れ時にパッド本体部における鼻の表皮との接触箇所がずれずにパッド本体部の鼻接触面側が横振れ方向に変形しやすくなるため、ユーザの視野の横方向振動を効果的に低減して目の疲れを低減することができる。
【００２０】
本請求項７に係る発明の眼鏡の鼻あて追加用パッドによれば、請求項１乃至請求項６のいずれか１つに係る発明が奏する効果に加えて、ユーザの縦振れ時にパッド本体部における鼻の表皮との接触箇所がずれずにパッド本体部の鼻接触面側が縦振れ方向に変形しやすくなるため、ユーザの視野の縦方向振動を効果的に低減して目の疲れを低減することができる。例えば、ユーザのランニング時にユーザの視野の縦方向振動を効果的に低減することができる。
【００２１】
本請求項８に係る発明の眼鏡の鼻あて追加用パッドによれば、請求項１乃至請求項４のいずれか１つに係る発明が奏する効果に加えて、毛細管現象によりパッド本体部において水分を保持する力が鼻接触面側と比べて粘着層側の方が大きくなるため、鼻接触面側で吸収された鼻の表皮からの汗を奥側となる粘着層側へ移動させて鼻の表皮を清潔に保って腫れの発生をより効果的に抑制することができる。
【図面の簡単な説明】
【００２２】
【図１】本発明の第１実施例の鼻あて追加用パッドを眼鏡に装着した状態を示す斜視図である。
【図２】（Ａ）は図１の符号２Ａから視た正面図、（Ｂ）は（Ａ）の符号２Ｂ−２Ｂで視た断面図、（Ｃ）はユーザが眼鏡を装着したときの概念断面図である。
【図３】（Ａ）は第２実施例の鼻あて追加用パッドを装着したときの正面図、（Ｂ）は（Ａ）の符号３Ｂ−３Ｂで視た断面図、（Ｃ）はユーザが眼鏡を装着したときの概念断面図である。
【図４】（Ａ）は第３実施例の鼻あて追加用パッドを装着したときの正面図、（Ｂ）は（Ａ）の符号４Ｂ−４Ｂで視た断面図、（Ｃ）はユーザが眼鏡を装着したときの概念断面図である。
【図５】（Ａ）は第４実施例の鼻あて追加用パッドを装着したときの正面図、（Ｂ）は（Ａ）の符号５Ｂ−５Ｂで視た断面図、（Ｃ）はユーザが眼鏡を装着したときの概念断面図である。
【図６】（Ａ）は第５実施例の鼻あて追加用パッドを装着したときの正面図、（Ｂ）は（Ａ）の符号６Ｂ−６Ｂで視た断面図、（Ｃ）はユーザが眼鏡を装着したときの概念断面図である。
【図７】第６実施例の鼻あて追加用パッドを装着したときの概念断面図である。
【発明を実施するための形態】
【００２３】
本発明は、眼鏡の鼻あての鼻あて面に追加して取り付けられる鼻あて追加用パッドであって、発泡ウレタン樹脂で形成されたパッド本体部と、パッド本体部における鼻あて接触面に粘着剤で形成された粘着層とを備えていることにより、ユーザの鼻にフィットしてユーザが痛みを感じることなく快適に眼鏡を使用し続けられ、眼鏡の位置が下がる、所謂、眼鏡のずり落ちを防止するとともに鼻の表皮を清潔に保って腫れの発生を抑制するものであれば、その具体的な実施態様は、如何なるものであっても構わない。
【００２４】
例えば、粘着層は、粘着力を発生させるものであれば如何なるものであってもよく、粘着剤を塗布して形成されてもよいし、両面テープで形成されてもよい。
【実施例１】
【００２５】
以下に、本発明の第１実施例である鼻あて追加用パッド１００について、図１乃至図２（Ｃ）に基づいて説明する。
ここで、図１は、本発明の第１実施例の鼻あて追加用パッド１００を眼鏡Ｇに装着した状態を示す斜視図であり、図２（Ａ）は、図１の符号２Ａから視た正面図であり、図２（Ｂ）は、図２（Ａ）の符号２Ｂ−２Ｂで視た断面図であり、図２（Ｃ）は、ユーザが眼鏡Ｇを装着したときの概念断面図である。
【００２６】
本発明の第１実施例である鼻あて追加用パッド１００は、図１乃至図２（Ｃ）に示すように、眼鏡Ｇの鼻あてＮＰの鼻あて面に追加して取り付けられるように構成されている。
具体的に、鼻あて追加用パッド１００は、発泡ウレタン樹脂で形成されたパッド本体部１１０と、パッド本体部１１０における鼻あて接触面に粘着剤で形成された粘着層１２０とを備えている。
そして、パッド本体部１１０における粘着層側と反対側が、ユーザの鼻の表皮ＮＳと接触する鼻接触面１１１である。
パット本体部は、所謂、スポンジである軟性発泡ウレタン樹脂で一例として厚さ４ｍｍ〜８ｍｍ、長手方向に１３ｍｍ〜１８ｍｍ、短手方向に４ｍｍ〜８ｍｍに形成されている。なお、長手方向に６ｍｍ〜１３ｍｍに形成しても良い。
【００２７】
また、粘着層１２０は、両面テープで形成されている。
これにより、粘着層１２０が既存の鼻あてＮＰと接着する。
さらに、図２（Ｃ）に示すように、ユーザの鼻と直接するパッド本体部１１０が眼鏡Ｇの自重で適度に変形しながら鼻の表皮ＮＳと接触する。
その結果、ユーザの鼻にフィットしてユーザは痛みを感じることなく快適に眼鏡Ｇを使用し続けることができる。
【００２８】
すなわち、鼻あて追加用パッド１００で眼鏡Ｇの自重をソフトに鼻で支えて、眼鏡Ｇのつるである所謂、テンプルの先端で耳にかかる先セルである所謂、モダンからユーザの耳にかかる負担を低減し、快適に眼鏡Ｇを使用し続けることができる。
また、ユーザが鼻の表皮ＮＳに汗をかいた場合であってもパッド本体部１１０が汗を吸って鼻の表皮ＮＳの汗膜の形成が回避される
その結果、眼鏡Ｇの位置が下がる、所謂、眼鏡Ｇのずり落ちを防止するとともに鼻の表皮ＮＳを清潔に保って腫れの発生を抑制することができる。
本実施例では、一例として、パッド本体部１１０の色が、鼻あてＮＰの色と同じである。
これにより、パッド本体部１１０が鼻あてＮＰと同化して見えて目立たなくなる。
その結果、ユーザは見栄えを気にせずに快適に眼鏡Ｇを使用し続けることができる。
【００２９】
また、本実施例では、パッド本体部１１０の鼻接触面側から視た外縁形状Ｓ１が、鼻あてＮＰの外縁形状Ｓ２と相似形の関係である。
そして、パッド本体部１１０の外縁形状Ｓ１が、鼻あてＮＰの外縁形状Ｓ２より小さく設けられている。
具体的には、パッド本体部１１０の外縁が、鼻あてＮＰの外縁の０．９ｍｍ〜１．２ｍｍ程度内側となるように設けられている。
これにより、ユーザが眼鏡Ｇを装着した状態では、鼻あて追加用パッド１００が他の人から視認されない。
その結果、見栄えに影響を与えずにユーザは快適に眼鏡Ｇを使用し続けることができる。
なお、本実施例では、パッド本体部１１０の鼻接触面側から視た外縁形状Ｓ１が、鼻あてＮＰの外縁形状Ｓ２と相似形の関係としたが、パッド本体部１１０の鼻接触面側から視た外縁形状Ｓ１は、鼻あてＮＰの外縁形状Ｓ２と無関係でもよい。
【００３０】
このようにして得られた本発明の第１実施例である鼻あて追加用パッド１００は、発泡ウレタン樹脂で形成されたパッド本体部１１０と、パッド本体部１１０における鼻あて接触面に粘着剤で形成された粘着層１２０とを備えていることにより、ユーザの鼻にフィットしてユーザは痛みを感じることなく快適に眼鏡Ｇを使用し続けることができ、眼鏡Ｇの位置が下がる、所謂、眼鏡Ｇのずり落ちを防止するとともに鼻の表皮ＮＳを清潔に保って腫れの発生を抑制することができる。
【００３１】
さらに、パッド本体部１１０の色が、鼻あてＮＰの色と同じであることにより、ユーザは見栄えを気にせずに快適に眼鏡Ｇを使用し続けることができる。
また、パッド本体部１１０の鼻接触面側から視た外縁形状Ｓ１が、鼻あてＮＰの外縁形状Ｓ２と相似形の関係であり、パッド本体部１１０の外縁形状Ｓ１が、鼻あてＮＰの外縁形状Ｓ２より小さいことにより、見栄えに影響を与えずにユーザは快適に眼鏡Ｇを使用し続けることができるなど、その効果は甚大である。
【実施例２】
【００３２】
続いて、本発明の第２実施例である鼻あて追加用パッド２００について、図３（Ａ）乃至図３（Ｃ）に基づいて説明する。
ここで、図３（Ａ）は、第２実施例の鼻あて追加用パッド２００を装着したときの正面図であり、図３（Ｂ）は、図３（Ａ）の符号３Ｂ−３Ｂで視た断面図であり、図３（Ｃ）は、ユーザが眼鏡Ｇを装着したときの概念断面図である。
第２実施例の鼻あて追加用パッド２００は、第１実施例の鼻あて追加用パッド１００の大きさを変更したものであり、多くの要素について第１実施例の鼻あて追加用パッド１００と共通するので、共通する事項については詳しい説明を省略し、下２桁が共通する２００番台の符号を付すのみとする。
【００３３】
本発明の第２実施例である鼻あて追加用パッド２００では、パッド本体部２１０の外縁形状Ｓ１が、鼻あてＮＰの外縁形状Ｓ２より大きく設けられている。
具体的には、パッド本体部２１０の外縁が、鼻あてＮＰの外縁の０．９ｍｍ〜１．２ｍｍ程度外側となるように設けられている。
これにより、鼻あてＮＰの外縁とユーザの鼻の表皮ＮＳとの接触が確実に回避される。
その結果、鼻あてＮＰがユーザの鼻の表皮ＮＳを傷つける虞がない。
【００３４】
このようにして得られた本発明の第２実施例である鼻あて追加用パッド２００は、パッド本体部２１０の鼻接触面側から視た外縁形状Ｓ１が、鼻あてＮＰの外縁形状Ｓ２と相似形の関係であり、パッド本体部２１０の外縁形状Ｓ１が、鼻あてＮＰの外縁形状Ｓ２より大きいことにより、鼻あてＮＰがユーザの鼻の表皮ＮＳを傷つける虞がないなど、その効果は甚大である。
【実施例３】
【００３５】
続いて、本発明の第３実施例である鼻あて追加用パッド３００について、図４（Ａ）乃至図４（Ｃ）に基づいて説明する。
ここで、図４（Ａ）は、第３実施例の鼻あて追加用パッド３００を装着したときの正面図であり、図４（Ｂ）は、図４（Ａ）の符号４Ｂ−４Ｂで視た断面図であり、図４（Ｃ）は、ユーザが眼鏡Ｇを装着したときの概念断面図である。
第３実施例の鼻あて追加用パッド３００は、第１実施例の鼻あて追加用パッド１００の鼻接触面側の形状を変更したものであり、多くの要素について第１実施例の鼻あて追加用パッド１００と共通するので、共通する事項については詳しい説明を省略し、下２桁が共通する３００番台の符号を付すのみとする。
【００３６】
本発明の第３実施例である鼻あて追加用パッド３００では、パッド本体部３１０の鼻接触面側を凹凸にする凸部分３１２が、パッド本体部３１０の鼻接触面側に形成されている。
これにより、眼鏡Ｇの自重を受けて凸部分３１２が鼻の表皮ＮＳと接触して積極的に変形する。
その結果、鼻あて追加用パッド３００がユーザの鼻によりフィットすることができる。
さらに、ユーザが動くことによる眼鏡Ｇの振動がより効果的に吸収される。
その結果、ユーザの視野の微細な振動を効果的に低減して目の疲れを低減することができる。
【００３７】
このようにして得られた本発明の第３実施例である鼻あて追加用パッド３００は、パッド本体部３１０の鼻接触面側に凹凸が形成されていることにより、ユーザの鼻によりフィットするとともに、ユーザの視野の微細な振動を効果的に低減して目の疲れを低減することができるなど、その効果は甚大である。
【実施例４】
【００３８】
続いて、本発明の第４実施例である鼻あて追加用パッド４００について、図５（Ａ）乃至図５（Ｃ）に基づいて説明する。
ここで、図５（Ａ）は、第４実施例の鼻あて追加用パッド４００を装着したときの正面図であり、図５（Ｂ）は、図５（Ａ）の符号５Ｂ−５Ｂで視た断面図であり、図５（Ｃ）は、ユーザが眼鏡Ｇを装着したときの概念断面図である。
第４実施例の鼻あて追加用パッド４００は、第１実施例の鼻あて追加用パッド１００の鼻接触面側の形状を変更したものであり、多くの要素について第１実施例の鼻あて追加用パッド１００と共通するので、共通する事項については詳しい説明を省略し、下２桁が共通する４００番台の符号を付すのみとする。
【００３９】
本発明の第４実施例である鼻あて追加用パッド４００では、パッド本体部４１０が、鼻接触面側においてパッド本体部４１０の鼻接触面側から視た外縁形状Ｓ１の長手方向に延設された溝４１３を有している。
ここで、パッド本体部４１０の鼻接触面側から視た外縁形状Ｓ１の長手方向は、ユーザが眼鏡Ｇを装着した状態において、略縦方向（鉛直方向）となる。
【００４０】
これにより、ユーザの横振れ時にパッド本体部４１０における鼻の表皮ＮＳとの接触箇所がずれずにパッド本体部４１０の鼻接触面側が横振れ方向に変形しやすくなる。
その結果、ユーザの視野の横方向振動を効果的に低減して目の疲れを低減することができる。
【００４１】
このようにして得られた本発明の第４実施例である鼻あて追加用パッド４００は、パッド本体部４１０が、鼻接触面側においてパッド本体部４１０の鼻接触面側から視た外縁形状Ｓ１の長手方向に延設された溝４１３を有していることにより、ユーザの視野の横方向振動を効果的に低減して目の疲れを低減することができるなど、その効果は甚大である。
【実施例５】
【００４２】
続いて、本発明の第５実施例である鼻あて追加用パッド５００について、図６（Ａ）乃至図６（Ｃ）に基づいて説明する。
ここで、図６（Ａ）は、第５実施例の鼻あて追加用パッド５００を装着したときの正面図であり、図６（Ｂ）は、図６（Ａ）の符号６Ｂ−６Ｂで視た断面図であり、図６（Ｃ）は、ユーザが眼鏡Ｇを装着したときの概念断面図である。
第５実施例の鼻あて追加用パッド５００は、第４実施例の鼻あて追加用パッド４００の鼻接触面側の溝４１３の延設方向を変更したものであり、多くの要素について第４実施例の鼻あて追加用パッド４００と共通するので、共通する事項については詳しい説明を省略し、下２桁が共通する５００番台の符号を付すのみとする。
【００４３】
本発明の第５実施例である鼻あて追加用パッド５００では、パッド本体部５１０が、鼻接触面側においてパッド本体部５１０の鼻接触面側から視た外縁形状Ｓ１の短手方向に延設された溝５１４を有している。
ここで、パッド本体部５１０の鼻接触面側から視た外縁形状Ｓ１の短手方向は、ユーザが眼鏡Ｇを装着した状態において、略縦方向（鉛直方向）と直交する略横方向（水平方向）となる。
【００４４】
これにより、ユーザの縦振れ時にパッド本体部５１０における鼻の表皮ＮＳとの接触箇所がずれずにパッド本体部５１０の鼻接触面側が縦振れ方向に変形しやすくなる。
その結果、ユーザの視野の縦方向振動を効果的に低減して目の疲れを低減することができる。
例えば、ユーザのランニング時にユーザの視野の縦方向振動を効果的に低減することができる。
なお、上述した第４実施例の長手方向の溝４１３と、本実施例の短手方向の溝５１４とを組み合わせてもよいのは勿論である。
【００４５】
このようにして得られた本発明の第５実施例である鼻あて追加用パッド５００は、パッド本体部５１０が、鼻接触面側においてパッド本体部５１０の鼻接触面側から視た外縁形状Ｓ１の短手方向に延設された溝５１４を有していることにより、ユーザの視野の縦方向振動を効果的に低減して目の疲れを低減することができるなど、その効果は甚大である。
【実施例６】
【００４６】
続いて、本発明の第６実施例である鼻あて追加用パッド６００について、図７に基づいて説明する。
ここで、図７は、第６実施例の鼻あて追加用パッド６００を装着したときの概念断面図である。
第６実施例の鼻あて追加用パッド６００は、第１実施例の鼻あて追加用パッド１００のセルの大きさの分布が厚さ方向で変化している構造としたものであり、多くの要素について第１実施例の鼻あて追加用パッド１００と共通するので、共通する事項については詳しい説明を省略し、下２桁が共通する６００番台の符号を付すのみとする。
【００４７】
本発明の第６実施例である鼻あて追加用パッド６００では、パッド本体部６１０が、オープンセルフォームである。
ここで、オープンセルフォームとは、隣り合うセル同士が接していることによりセル内の空間が連続している構造をいう。
【００４８】
さらに、粘着層側のセル６１５の平均大きさが、鼻接触面側のセル６１６の平均大きさより小さく構成されている。
例えば、セルの平均大きさが異なる複数の発泡ウレタン樹脂層を重ねることによって、パッド本体部６１０を構成してもよい。
これにより、毛細管現象によりパッド本体部６１０において水分を保持する力が鼻接触面側と比べて粘着層側の方が大きくなる。
その結果、鼻接触面側で吸収された鼻の表皮ＮＳからの汗を奥側となる粘着層側へ移動させて鼻の表皮ＮＳを清潔に保って腫れの発生をより効果的に抑制することができる。
【００４９】
このようにして得られた本発明の第６実施例である鼻あて追加用パッド６００は、パッド本体部６１０が、オープンセルフォームであり、パッド本体部６１０の粘着層側のセル６１５の平均大きさが、パッド本体部６１０の鼻接触面側のセル６１６の平均大きさより小さいことにより、鼻接触面６１１で吸収された鼻の表皮ＮＳからの汗を奥側となる粘着層側へ移動させて鼻の表皮ＮＳを清潔に保って腫れの発生をより効果的に抑制することができるなど、その効果は甚大である。
【符号の説明】
【００５０】
１００、２００、３００、４００、５００、６００  ・・・  鼻あて追加用パッド
１１０、２１０、３１０、４１０、５１０、６１０  ・・・  パッド本体部
１１１、２１１、３１１、４１１、５１１、６１１  ・・・  鼻接触面
３１２                          ・・・  凹凸の凸部分
４１３                  ・・・  （長手方向の）溝
５１４          ・・・  （短手方向の）溝
６１５  ・・・  粘着層側のセル
６１６  ・・・  鼻接触面側のセル
１２０、２２０、３２０、４２０、５２０、６２０  ・・・  粘着層
Ｇ  ・・・  眼鏡
ＮＰ・・・  鼻あて
Ｓ１・・・  パッド本体部の外縁形状
Ｓ２・・・  鼻あての外縁形状
ＮＳ・・・  鼻の表皮
【図１】
2018151426.tif 000003
【図２】
2018151426.tif 000004
【図３】
2018151426.tif 000005
【図４】
2018151426.tif 000006
【図５】
2018151426.tif 000007
【図６】
2018151426.tif 000008
【図７】
2018151426.tif 000009